(57)【要約】【課題】  光源と導光体との位置関係を固定部材により良好に保ちつつ、固定部材の表面で乱反射した光の漏れを抑制することが可能な照明装置及びそれを備える画像読取装置を提供すること。【解決手段】  光源１０９と、光源１０９からの光を被照射面に導く導光体１１４と、光源１０９及び導光体１１４を保持する共通の保持部材１１１と、導光体１１４を挟んで保持部材１１１とは反対側に配置される反射部材１１３と、を備える。【選択図】  図２
2017175365.tif 000002
【特許請求の範囲】
【請求項１】
光源と、
該光源からの光を被照射面に導く導光体と、
前記光源及び前記導光体を保持する共通の保持部材と、
前記導光体を挟んで前記保持部材とは反対側に配置される反射部材と、
を備えることを特徴とする照明装置。
【請求項２】
前記導光体は、前記光源からの光が入射する入射面と、該入射面からの光が前記被照射面に向かって出射する出射面と、前記入射面からの光を前記出射面に導く、互いに対向する第１及び第２の導光面と、を有し、かつ前記第１の導光面を介して前記保持部材により保持されており、前記反射部材は、前記第２の導光面と対向して配置されていることを特徴とする請求項１に記載の照明装置。
【請求項３】
前記光源及び前記導光体は、前記保持部材における同一面により保持されていることを特徴とする請求項１又は２に記載の照明装置。
【請求項４】
前記保持部材は、前記光源が実装される基板であることを特徴とする請求項１乃至３の何れか１項に記載の照明装置。
【請求項５】
前記導光体は、固定部材を介して前記保持部材により保持されていることを特徴とする請求項１乃至４の何れか１項に記載の照明装置。
【請求項６】
前記導光体の入射面における前記保持部材の側の端部と前記反射部材の側の端部との距離をＤとし、前記導光体と前記保持部材との界面に平行な方向において、前記固定部材の前記入射面から遠い側の端部と前記入射面との距離をＬ、前記反射部材の前記入射面から遠い側の端部と前記入射面との距離をＴ、とするとき、
０≦（Ｔ−Ｌ）≦Ｄ
なる条件を満たすことを特徴とする請求項５に記載の照明装置。
【請求項７】
前記反射部材は、前記固定部材の表面で反射した光を前記導光体に向けて反射させることを特徴とする請求項５又は６に記載の照明装置。
【請求項８】
前記固定部材は、透光性部材から成ることを特徴とする請求項５乃至７の何れか１項に記載の照明装置。
【請求項９】
前記反射部材は、前記保持部材の表面で反射した光を前記導光体に向けて反射させることを特徴とする請求項１乃至８の何れか１項に記載の照明装置。
【請求項１０】
前記固定部材は、前記導光体に面する反射面を含むことを特徴とする請求項５乃至７の何れか１項に記載の照明装置。
【請求項１１】
前記保持部材は、前記導光体に面する反射面を含むことを特徴とする請求項１乃至９の何れか１項に記載の照明装置。
【請求項１２】
前記反射面の反射率は、７０％以上であることを特徴とする請求項１０又は１１に記載の照明装置。
【請求項１３】
前記反射部材は、前記導光体に対して離間して配置されていることを特徴とする請求項１乃至１２の何れか１項に記載の照明装置。
【請求項１４】
前記反射部材について、前記導光体に面する第１の面の反射率は、該第１の面とは反対側の第２の面の反射率よりも高いことを特徴とする請求項１乃至１３の何れか１項に記載の照明装置。
【請求項１５】
前記反射部材について、前記導光体に面する第１の面の反射率は、７０％以上であることを特徴とする請求項１乃至１４の何れか１項に記載の照明装置。
【請求項１６】
前記反射部材について、前記導光体に面する第１の面は、鏡面であることを特徴とする請求項１乃至１５の何れか１項に記載の照明装置。
【請求項１７】
前記反射部材について、前記導光体とは反対側の第２の面の反射率は、２０％以下であることを特徴とする請求項１乃至１６の何れか１項に記載の照明装置。
【請求項１８】
前記反射部材について、前記導光体とは反対側の第２の面は、無光沢面であることを特徴する請求項１乃至１７の何れか１項に記載の照明装置。
【請求項１９】
前記光源は、前記導光体の入射面の長手方向に配列された複数の発光素子を含むことを特徴とする請求項１乃至１８の何れか１項に記載の照明装置。
【請求項２０】
前記入射面は、前記複数の発光素子に面する透過部と、該透過部同士の間に設けられる反射部と、を含むことを特徴とする請求項１９に記載の照明装置。
【請求項２１】
前記導光体の入射面は、前記光源とは反対側から入射する光を反射させる反射部を含むことを特徴する請求項１乃至２０の何れか１項に記載の照明装置。
【請求項２２】
前記反射部の反射率は、７０％以上であることを特徴とする請求項２０又は２１に記載の照明装置。
【請求項２３】
前記反射部は、鏡面であることを特徴する請求項２０乃至２２の何れか１項に記載の照明装置。
【請求項２４】
請求項１乃至２３の何れか１項に記載の照明装置と、前記被照射面からの光を受光する受光部と、前記被照射面からの光を前記受光部に導く結像部と、を備えることを特徴とする画像読取装置。
【発明の詳細な説明】
【技術分野】
【０００１】
本発明は、照明装置に関し、例えば、イメージスキャナー、複写機、ファクシミリなどの画像読取装置に好適なものである。
【背景技術】
【０００２】
線順次方式の画像読取装置に用いられる照明装置として、ＬＥＤ（Ｌｉｇｈｔ  Ｅｍｉｔｔｉｎｇ  Ｄｉｏｄｅ）やＥＬ（Ｅｌｅｃｔｒｏ  Ｌｕｍｉｎｅｓｃｅｎｃｅ）素子などの点状光源を複数配列することで、擬似的に線状照明を行うものが知られている。また、照明装置においては、各光源からの光を効率良く被照射面（原稿面）に導くために、透光性部材から成る導光体が用いられる。
【０００３】
このとき、導光体の光利用効率を高めるためには、光源から出射する光の最大強度方向と導光体の入射面との位置関係を正確に保つことが求められる。特許文献１には、ＬＥＤが実装される基板上に、接着剤や両面テープなどの固定部材を用いて導光体を固定することで、光源と導光体との位置関係を保持した構成が記載されている。
【先行技術文献】
【特許文献】
【０００４】
【特許文献１】特開２００６−３５２３１０号公報
【発明の概要】
【発明が解決しようとする課題】
【０００５】
しかしながら、特許文献１に記載の構成において、固定部材の表面を鏡面にすることは困難であるため、導光体の入射面から入射した光の一部は固定部材の表面で乱反射（拡散反射）してしまう。そして、乱反射した光の一部が、導光体における基板とは反対側の面から外部に漏れてしまい、被照射面に導光される光が減少することで、光利用効率が低下してしまう。
【０００６】
本発明の目的は、光源と導光体との位置関係を固定部材により良好に保ちつつ、固定部材の表面で乱反射した光の漏れを抑制することが可能な照明装置及びそれを備える画像読取装置を提供することである。
【課題を解決するための手段】
【０００７】
上記目的を達成するための、本発明の一側面としての照明装置は、光源と、該光源からの光を被照射面に導く導光体と、前記光源及び前記導光体を保持する共通の保持部材と、前記導光体を挟んで前記保持部材とは反対側に配置される反射部材と、を備えることを特徴とする。
【発明の効果】
【０００８】
本発明によれば、光源と導光体との位置関係を固定部材により良好に保ちつつ、固定部材の表面で乱反射した光の漏れを抑制することが可能な照明装置及びそれを備える画像読取装置を提供することができる。
【図面の簡単な説明】
【０００９】
【図１】実施例１に係る画像読取装置の要部概略図。
【図２】実施例１に係る照明装置の要部概略図。
【図３】比較例１に係る照明装置の要部概略図。
【図４】実施例１に係る照明装置における固定部材の周辺の要部拡大図。
【図５】実施例１及び比較例における原稿面での光量分布を示す図。
【図６】実施例２に係る照明装置の要部概略図。
【図７】比較例２に係る照明装置の要部概略図。
【図８】実施例２及び比較例における原稿面での光量分布を示す図。
【図９】実施例２に係る照明装置の要部概略図。
【図１０】実施例３に係る照明装置における固定部材の周辺の要部拡大図。
【図１１】実施例３及び比較例における原稿面での光量分布を示す図。
【発明を実施するための形態】
【００１０】
以下、本発明の好ましい実施形態について図面を参照しながら説明する。なお、各図面は、便宜的に実際とは異なる縮尺で描かれている場合がある。また、各図面において、同一の部材については同一の参照番号を付し、重複する説明を省略する。
【００１１】
［実施例１］
以下、本発明の実施例１に係る照明装置及び画像読取装置について詳細に説明する。
【００１２】
（画像読取装置）
図１は、本実施例に係る画像読取装置１００の要部概略図（ＺＸ断面図）である。画像読取装置１００は、照明装置１０３、反射光学系１０４、結像光学系１０６、及び受光部１０５、の夫々を一体的に保持するキャリッジ（読取ユニット）１０７と、原稿台１０２と、駆動部１０８と、を備えている。
【００１３】
原稿台１０２は、原稿１０１を載置するための台であり、アクリル樹脂、ポリエステル樹脂、ポリカーボネイト樹脂やガラスなどの透光性を有する材料（透光性部材）から成る。受光部１０５は、原稿１０１からの光を受光するイメージセンサから成る。イメージセンサとしては、ＣＣＤイメージセンサやＣＭＯＳイメージセンサ等を採用することができる。それらは、複数の画素がＹ方向に一列に並んだラインセンサだけでなく、ＲＧＢの３つの画素を単位としたものがＹ方向に一列に並んだラインセンサや、ＲＧＢの各画素に対応する３つのラインセンサが互いに平行に並んだセンサであってもよい。
【００１４】
反射光学系１０４は、原稿１０１からの光を折り返して結像光学系１０６（結像部）に導く複数の折返しミラー１０４ａ〜１０４ｄから成る。結像光学系１０６は、反射光学系１０４からの光を受光部１０５の受光面上に集光し、原稿１０１の画像情報に基づく像を形成する縮小光学系である。駆動部１０８は、キャリッジ１０７を原稿１０１の原稿面（被照射面）に平行なＺ方向（図中の矢印方向）に移動させるための駆動力を発生するモータなどで構成される。
【００１５】
照明装置１０３から出射した光は、原稿１０１の原稿面にて拡散反射され、反射光学系１０４の第１折返しミラー１０４ａ〜第４折返しミラー１０４ｄにより結像光学系１０６に導かれ、受光部１０５の受光面上に集光される。そして、駆動部１０８によりキャリッジ１０７をＺ方向に移動させることによって、キャリッジ１０７に原稿１０１の原稿面をＺ方向において順次読み取らせることができる。これにより、受光部１０５は原稿１０１の原稿面全体の画像情報を線順次方式で読み取ることができる。受光部１０５により読み取られた画像情報は、電気信号としてインターフェースを通じて不図示の画像処理部やパーソナルコンピュータなどの外部機器に送信される。
【００１６】
なお、キャリッジ１０７を移動させる際は、キャリッジ１０７により保持される各部材同士の相対位置は変わらない。また、駆動部１０８によって、キャリッジ１０７の代わりに原稿１０１を移動させたり、キャリッジ１０７及び原稿１０１の両方を移動させたりすることにより、キャリッジ１０７と原稿１０１とのＺ方向における相対位置を変更させてもよい。キャリッジ１０７を移動させずに、原稿のみを移動させて相対位置を変更する場合には、給送ローラーや給送ベルト等を用いることができる。
【００１７】
（照明装置）
ここで、本実施例に係る照明装置１０３について詳細に説明する。図１に示したように、本実施例に係る画像読取装置１００は、同一の照明装置１０３を２つ備えており、夫々の照明装置１０３は読取光軸１２０を挟んで対称的に配置されている。この構成により、原稿面の読取領域１２１を両側から照明することが可能になる。
【００１８】
図２は、照明装置１０３の要部概略図であり、図２（ａ）はＺＸ断面図を示し、図２（ｂ）は斜視図を示している。照明装置１０３は、光源１０９と、光源１０９からの光を読取領域１２１に導く導光体１１４と、光源１０９及び導光体１１４を保持する共通の保持部材１１１と、導光体１１４を挟んで保持部材１１１とは反対側に配置される反射部材１１３と、を備えている。なお、図２（ｂ）では、便宜上、反射部材１１３の一部を省略して光源１０９が見えるように示している。
【００１９】
光源１０９は、導光体１１４の長手方向（Ｙ方向）に配列された複数の発光素子を含んでおり、各発光素子は光源基板としての保持部材１１１の上に実装されている。光源１０９は、各発光素子の発光面１１０が、保持部材１１１に対して垂直となるように構成された、サイドビュー型の光源である。本実施例では、発光素子として発光ダイオード（ＬＥＤ）を用いているが、これに限らずＥＬ素子などを用いてもよい。発光素子が出射する光としては白色光が望ましいが、これに限らず赤色、緑色、青色などの光であってもよい。
【００２０】
導光体１１４は、第１の方向において一様な形状を成す部材である。導光体１１４は、光源１０９と対向する入射面１１５と、入射面１１５から入射した光が原稿面に向かって出射する出射面１１６と、互いに対向する第１の導光面１１７及び第２の導光面１１８と、を有する。光源１０９から出射して入射面１１５に入射した光は、第１の導光面１１７及び第２の導光面１１８にて全反射しながら出射面１１６に導かれる。そして、出射面１１６から出射した光によって、原稿面におけるＹ方向に長い線状の領域が照明される。
【００２１】
導光体１１４の材料としては、ガラスなどの透光性の無機材料や、アクリル樹脂、ポリエステル樹脂、ポリカーボネイト樹脂などの透光性の有機材料を用いることができる。その中でも、プラスチックなどの成型が容易な合成樹脂材料を用いることが好ましく、本実施例においてはアクリル樹脂（ＰＭＭＡ）を採用している。導光体１１４のＺＸ断面の形状は、光源１０９からの光を原稿面に導光することができる形状であれば、図２に示したものに限られない。
【００２２】
光源１０９における各発光素子は、発光面１１０の輝度が視点の角度によらず同じとなる配光（ランバート配光）を有している。よって、各発光素子は、発光面１１０の法線方向（最大強度方向）において最大強度の光を出射し、かつその法線方向から±９０度の範囲に広く光を出射している。このとき、導光体１１４の光利用効率を高めるためには、各発光素子の最大強度方向と導光体１１４の入射面１１５との位置関係を正確に保つことが必要になる。
【００２３】
そこで、本実施例では、光源１０９が実装される保持部材１１１の同一面上に、固定部材１１２を介して導光体１１４の第１の導光面１１７を固定している。これにより、光源１０９と導光体１１４との相対的な位置ずれによる光利用効率の低下を抑制することができる。本実施例に係る固定部材１１２は、表面の反射率が約９０％である白色の両面テープを用いているが、これに限らず透光性の接着剤などを用いてもよい。
【００２４】
なお、固定部材１１２に入射する光を効率的に導光するためには、固定部材１１２における導光体１１４と対向する表面を反射面とすることが望ましく、その反射面の反射率を７０％以上とすることがより好ましい。あるいは、保持部材１１１における導光体１１４と対向する表面を反射面とし、固定部材１１２を透過した光を反射することができるようにしてもよい。その際にも、保持部材１１１の反射面の反射率を７０％以上とすることが好ましい。
【００２５】
（反射部材）
しかし、保持部材１１１や固定部材１１２の反射面を鏡面とすることは困難である。そして、保持部材１１１に固定部材１１２を用いて第１の導光面１１７を固定した場合、第１の導光面１１７と固定部材１１２との界面は空気では無くなってしまうため、導光面１１７に入射する光の一部は全反射せずに乱反射してしまう。よって、固定部材１１２の表面で乱反射した光の一部が導光体１１４の外部に漏れてしまい、導光体１１４の光利用効率が低下してしまう。
【００２６】
このことについて、比較例を用いて説明する。図３（ａ）は、比較例１に係る照明装置４０３の要部概略図である。また、図３（ｂ）は、図３（ａ）におけるＤ部（固定部材４１２の周辺）の拡大図である。比較例１に係る照明装置４０３は、反射部材１１３を備えないという点以外は、本実施例に係る照明装置１０３と同様の構成を採っている。
【００２７】
図３（ｂ）に示すように、光源４０９から出射した複数の光線Ａ４１の一部は、導光体４１４の入射面４１５を介して固定部材４１２に入射する。固定部材４１２は白色の両面テープであるため、固定部材４１２に到達した光線Ａ４１はその表面でランバート反射する。ここで、固定部材４１２の表面に対して垂直に反射する光線の反射角を０度とし、反射角が０度の光線に対して出射面４１６の側に反射する光線の反射角を正（＋）、反射角が０度の光線に対して入射面４１５の側に反射する光線の反射角を負（−）、とする。
【００２８】
導光体４１４の材料であるアクリル樹脂の屈折率は１．４９であるため、スネルの法則より、導光体４１４の各面に対する臨界角は４２．２度となる。すなわち、ランバート反射した光線Ａ４２のうち、反射角が０度から±４２．２度である光線は、第２の導光面４１８において全反射条件を満たさずに、導光体４１４の外部に向かって透過してしまう。よって、導光体４１４の外部に漏れた光の分だけ原稿面に導光される光が減少するため、導光体４１４の光利用効率が低下してしまうことになる。
【００２９】
そこで、本実施例においては、図２に示したように、導光体１１４を挟んで保持部材１１１とは反対側の位置に、第２の導光面１１８と対向する反射面を有する反射部材１１３を配置している。この反射部材１１３によれば、固定部材１１２を介して導光体１１４の外部に出射した光を反射させて、再び導光体１１４の内部に入射させることができるため、原稿面に導光される光の減少及び光利用効率の低下を抑制することが可能になる。
【００３０】
図４は、図２におけるＡ部（固定部材１１２の周辺）の拡大図である。本実施例に係る反射部材１１３における第１の面１１３ａは、反射率が約９０％の白色反射面である。なお、導光体１１４の外部に漏れた光を効率的に反射させるためには、第１の面１１３ａの反射率を７０％以上とすることが望ましく、第１の面１１３ａを鏡面とすることがより好ましい。また、第１の導光面１１７から第２の導光面１１８に向かう光が、第２の導光面１１８において効率的に全反射するためには、第１の面１１３ａと第２の導光面１１８とを互いに離間して配置することが望ましい。
【００３１】
図４に示すように、導光体１１４の入射面１１５を介して固定部材１１２に入射した光線Ａ１１は、その表面でランバート反射する。そして、固定部材１１２にてランバート反射した光線のうち、第２の導光面１１８において全反射条件を満たさない光線Ａ１２は、導光体１１４の外部に向かって透過する。
【００３２】
導光体１１４の外部に漏れた光線Ａ１２は、反射部材１１３における第１の面１１３ａにてランバート反射する。そして、ランバート反射した光線Ａ１３は、再び導光体１１４の内部に入射して固定部材１１２に到達し、その表面で再びランバート反射する。固定部材１１２にてランバート反射した光線のうち、第２の導光面１１８において全反射条件を満たさない光線Ａ１４は、再び導光体１１４の外部に漏れて反射部材１１３に入射する。
【００３３】
一方で、固定部材１１２にてランバート反射した光線のうち、反射角が＋４２．２度から＋９０度である光線は、第２の導光面１１８において全反射条件を満たすため、出射面１１６まで導光されて原稿画に到達する。このように、反射部材１１３を配置することにより、入射面１１５からの光を、固定部材１１２及び反射部材１１３において繰り返しランバート反射させながら出射面１１６に導光することができるため、原稿面に到達しない光を減少させることが可能になる。
【００３４】
なお、図４に示したように、Ｘ方向に見たとき反射部材１１３が固定部材１１２の全面を覆うように構成することが望ましい。また、固定部材１１２でランバート反射した光線Ａ１２のうち、第２の導光面１１８における臨界角である＋４２．２度の近傍の反射角の光線が反射部材１１３に到達するように、反射部材１１３の長さを設定することがより好ましい。
【００３５】
ここで、入射面１１５のＸ方向における高さ（保持部材１１１の側の端部と反射部材１１３の側の端部との距離）をＤとする。また、導光体１１４と保持部材１１１との界面に平行な方向（Ｚ方向）において、固定部材１１２の入射面１１５から遠い側の端部と入射面１１５との距離をＬ、反射部材１１３の入射面１１５から遠い側の端部と入射面１１５との距離をＴ、とする。このとき、以下の条件式（１）を満たすように構成することが望ましい。
０≦（Ｔ−Ｌ）≦Ｄ    ・・・（１）
【００３６】
条件式（１）の下限を下回ると、Ｚ方向において入射面１１５を基準としたときの反射部材１１３の長さが固定部材１１２の長さよりも短くなってしまうため、導光体１１４から漏れた光線Ａ１２の一部が、反射部材１１３に到達しなくなってしまう。条件式（１）の上限を上回ると、反射部材１１３長さが必要以上に長くなり過ぎてしまい、光線Ａ１２が到達しない箇所にも反射部材１１３が配置されることになり、照明装置１０３の大型化及びコストアップに繋がってしまう。
【００３７】
本実施例において、入射面１１５の高さＤ１は１．０ｍｍ、固定部材１１２の端部と入射面１１５との距離Ｌ１は２．０ｍｍ、反射部材１１３の端部と入射面１１５との距離Ｔ１は２．５ｍｍ、である。よって、（Ｔ１−Ｌ１）＝０．５ｍｍとなるため、条件式（１）を満たしている。
【００３８】
図５は、図１に示した本実施例に係る２つの照明装置１０３により原稿面を照明したときの原稿面における光量分布（実線）と、各照明装置１０３を比較例１に係る照明装置４０３と入れ替えたときの原稿面における光量分布（破線）と、を示す図である。図５において、横軸は原稿面でのＸ方向における読取光軸１２０からの位置を示し、縦軸は各位置における光量を示している。図５を見るとわかるように。原稿面の各位置において、本実施例における光量の方が比較例１における光量よりも大きくなっている。本実施例に係る照明装置１０３によれば、比較例１に係る照明装置４０３に対して光利用効率を向上させることができる。
【００３９】
以上、本実施例に係る照明装置１０３によれば、光源１０９と導光体１１４との位置関係を良好に保ちつつ、光利用効率の低下を抑制することができる。
【００４０】
［実施例２］
以下、本発明の実施例２に係る照明装置及び画像読取装置について詳細に説明する。本実施例に係る画像読取装置は、照明装置以外については実施例１に係る画像読取装置１００の構成と同様であるため、それについての説明を省略する。
【００４１】
図６（ａ）は、本実施例に係る照明装置２０３の要部概略図であり、図６（ｂ）は、図６（ａ）におけるＢ部（固定部材２１２の周辺）の拡大図である。本実施例に係る照明装置２０３において、実施例１に係る照明装置１０３に対して異なる点は、保持部材２１１、固定部材２１２、及び反射部材２１３、の構成である。
【００４２】
本実施例において、保持部材２１１における導光体２１４と対向する面２１１ａは、反射率が約９０％の白色反射面であり、固定部材２１２は、透光性の接着剤である。そして、反射部材２１３において、導光体と対向する第１の面２１３ａとその反対側の第２の面２１３ｂとは、互いに異なる材料により構成されている。具体的には、第１の面２１３ａは反射率が約９０％の白色面であり、第２の面２１３ｂは反射率が約１０％の黒色面である。
【００４３】
まず、反射部材２１３における第１の面２１３ａにより得られる効果について説明する。図６（ｂ）に示すように、導光体２１４の入射面２１５を介して固定部材２１２に入射した光線Ａ２１は、保持部材２１１の面２１１ａにおいてランバート反射する。そして、面２１１ａにてランバート反射した光線のうち、第２の導光面２１８において全反射条件を満たさない光線Ａ２２は、導光体２１４の外部に漏れて、反射部材２１３における第１の面２１３ａにてランバート反射する。
【００４４】
そして、ランバート反射した光線Ａ２３は、再び導光体２１４の内部に入射し、保持部材２１１の面２１１ａにおいて再びランバート反射する。保持部材２１１の面２１１ａにてランバート反射した光線Ａ２４のうち、第２の導光面２１８において全反射条件を満たす光線は、出射面２１６まで導光されて原稿画に到達する。このように、反射部材２１３における第１の面２１３ａによれば、原稿面に到達しない光を減少させることが可能になる。
【００４５】
次に、反射部材２１３における第２の面２１３ｂにより得られる効果について、比較例を用いて説明する。図７は、比較例２に係る照明装置５０３の要部概略図である。比較例２に係る照明装置５０３は、反射部材５１３における第１の面５１３ａ及び第２の面５１３ｂの両方が、反射率が約９０％の白色面であるという点以外は、本実施例に係る照明装置１０３と同様の構成を採っている。
【００４６】
図１に示した実施例１に係る構成と同様に、比較例２に係る照明装置５０３を画像読取装置の内部において読取光軸を挟んで対向配置し、原稿面を照明した場合を考える。このとき、図７に示すように、一方の照明装置５０３から出射して原稿面で乱反射した光線Ｂ５１の一部が、他方の照明装置５０３の反射部材５１３における第２の面５１３ｂに到達し、ランバート反射してしまう。そして、ランバート反射した光線Ｂ５２の一部がフレア光として原稿面に到達し、読取画像の画質が低下してしまう。
【００４７】
そこで、本実施例では、反射部材２１３における第２の面２１３ｂを反射率の低い部材により形成することで、第２の面２１３ｂにおけるフレア光の発生を抑制している。なお、第２の面２１３ｂに入射する光の反射を十分に抑制するためには、第２の面２１３ｂの反射率を２０％以下とすることが好ましい。ただし、第２の面２１３ｂの反射率を十分に低くしたとしても、第２の面２１３ｂが光沢面である場合、そこで正反射する光が発生してフレア光となってしまう可能性がある。よって、第２の面２１３ｂを無光沢面とすることが望ましい。
【００４８】
本実施例において、入射面２１５の高さＤ２は１．０ｍｍ、固定部材２１２の端部と入射面２１５との距離Ｌ２は２．５ｍｍ、反射部材２１３の端部と入射面２１５との距離Ｔ２は３．４ｍｍ、である。よって、（Ｔ２−Ｌ２）＝０．９ｍｍとなるため、条件式（１）を満たしている。
【００４９】
図８は、図５と同様に、本実施例に係る照明装置２０３を対向配置したときの原稿面における光量分布（実線）と、各照明装置２０３における反射部材２１３を取り除いた場合の比較例における光量分布（破線）と、を示す図である。本実施例に係る照明装置２０３によれば、比較例に対して光利用効率を向上させることができる。
【００５０】
以上、本実施例に係る照明装置２０３によれば、第１の面２１３ａの反射率が第２の面２１３ｂの反射率よりも高い反射部材２１３を採用することで、光利用効率の低下及びフレア光の発生を抑制することが可能になる。
【００５１】
［実施例３］
以下、本発明の実施例３に係る照明装置及び画像読取装置について詳細に説明する。本実施例に係る画像読取装置は、照明装置以外については実施例１に係る画像読取装置１００の構成と同様であるため、それについての説明を省略する。
【００５２】
図９は、本実施例に係る照明装置３０３の要部斜視図である。また、図１０は、図９におけるＣ部（固定部材３１２の周辺）の拡大図であり、図１０（ａ）はＡ−Ａ断面を示し、図１０（ｂ）はＢ−Ｂ断面を示している。本実施例に係る照明装置３０３において、実施例１に係る照明装置１０３に対して異なる点は、反射部材３１３及び導光体３１４の入射面３１５の構成である。
【００５３】
本実施例に係る反射部材３１３における第１の面３１３ａは、実施例１とは異なり鏡面となっている。また、本実施例に係る導光体３１４の入射面３１５は、光源３０９における複数の発光素子と対向する透過部３１９と、透過部同士の間に設けられる反射部３２０と、を含んでいる。具体的には、入射面３１５において、光源３０９からの光が入射する領域を透過部３１９とし、透過部３１９以外の領域に反射率が約９０％の白色ペイントを施して反射部３２０としている。
【００５４】
図１０（ａ）に示すように、導光体３１４の入射面３１５における透過部３１９を介して固定部材３１２（実施例１と同じ両面テープ）に入射した光線Ａ３１は、その表面でランバート反射する。そして、固定部材３１２にてランバート反射した光線のうち、第２の導光面３１８において全反射条件を満たさない光線Ａ３２は、導光体３１４の外部に漏れて、反射部材３１３における第１の面３１３ａで反射する。第１の面３１３ａにて反射した光線Ａ３２は、再び導光体３１４の内部に入射し、固定部材３１２の表面において再びランバート反射する。
【００５５】
固定部材３１２にてランバート反射した光線Ａ３３のうち、反射角が＋４２．２度から＋９０度である光線は、第２の導光面３１８において全反射条件を満たすため、出射面３１６まで導光されて原稿画に到達する。一方で、図１０（ｂ）に示すように、固定部材３１２にてランバート反射した光線Ａ３３のうち、反射角が−９０度から−４２．２度である光線の一部は、導光体３１４の入射面３１５における反射部３２０でランバート反射する。そして、反射部３２０にてランバート反射した光線３４は、出射面３１６まで導光されて原稿画に到達する。
【００５６】
このように、導光体３１４の入射面３１５に反射部３２０を設けることで、光源３０９とは反対側から入射面３１５に入射する光を反射させて出射面３１６に導光することができるため、原稿面に到達する光を増加させることが可能になる。なお、光源３０９とは反対側から入射面３１５に入射する光を効率的に反射させるためには、反射部３２０の反射率を７０％以上とすることが望ましく、反射部３２０を鏡面とすることがより好ましい。
【００５７】
本実施例において、入射面３１５の高さＤ３は１．０ｍｍ、固定部材３１２の端部と入射面３１５との距離Ｌ３は３．０ｍｍ、反射部材３１３の端部と入射面３１５との距離Ｔ３は３．１ｍｍ、である。よって、（Ｔ３−Ｌ３）＝０．１ｍｍとなるため、条件式（１）を満たしている。
【００５８】
図１１は、図５と同様に、本実施例に係る照明装置３０３を対向配置したときの原稿面における光量分布（実線）と、各照明装置３０３における反射部材３１３及び反射部３２０を取り除いた場合の比較例における光量分布（破線）と、を示す図である。本実施例に係る照明装置３０３によれば、比較例に対して光利用効率を向上させることができる。
【００５９】
以上、本実施例に係る照明装置３０３によれば、導光体３１４の入射面３１５に反射部３２０を設けることで、光利用効率を向上させることが可能になる。
【００６０】
［変形例］
以上、本発明の好ましい実施形態及び実施例について説明したが、本発明はこれらの実施形態及び実施例に限定されず、その要旨の範囲内で種々の組合せ、変形及び変更が可能である。
【００６１】
例えば、上述した実施例１に係る照明装置においては、反射部材を光源の後方にまで延長して保持部材に固定しているが、これに限らず、反射部材を他の部材に固定してもよく、必要に応じて他の実施例に係る構成を組み合わせてもよい。すなわち、反射部材の構成は、少なくとも導光体の外部に漏れた光を反射させて導光体に再び入射させることができる構成であればよい。なお、各実施例において、固定部材、保持部材、反射部材、及び入射面の反射部の夫々について、反射面は光をランバート反射させるものに限られない。
【００６２】
また、上述した実施形態に係る画像読取装置においては、読取光軸を挟んで２つの照明装置を対称的に配置しているが、この構成に限られるものではない。例えば、一方の照明装置における導光体に出射面を２つ設け、他方の照明装置の代わりに反射部材を配置した構成を採ってもよい。この場合、一方の出射面から出射した光を直接原稿面に導光し、かつ他方の出射面から出射した光を反射部材により偏向して原稿面に導光することで、読取光軸を挟んで両側から原稿面を照明することができる。
【符号の説明】
【００６３】
１０３  照明装置
１０９  光源
１１１  保持部材
１１３  反射部材
１１４  導光体
【図１】
2017175365.tif 000003
【図２】
2017175365.tif 000004
【図３】
2017175365.tif 000005
【図４】
2017175365.tif 000006
【図５】
2017175365.tif 000007
【図６】
2017175365.tif 000008
【図７】
2017175365.tif 000009
【図８】
2017175365.tif 000010
【図９】
2017175365.tif 000011
【図１０】
2017175365.tif 000012
【図１１】
2017175365.tif 000013